(57)【特許請求の範囲】
【請求項１】
電柱に添架するケーブルを固定する挟み込み式ケーブル引留工法であって、電柱に取り付けるバンド、または、既存に取り付けられているバンドの内側にケーブル引留具を差し込み、帯片を略Ｌ字状に屈曲させ、垂直部分の左右両端部に、バンドの縦幅員に相当する上下間隔をもって上側に２個の係止片、下側に２個の係止片をそれぞれ備えたケーブル引留具の上側に形成された左右の係止片をバンドの上端に係合するように配置し、下側に形成された左右の係止片をバンドの下端に係合させてバンドを締め付けることにより、水平部分の先端に設けられた孔部に、ケーブルを引留固定するフックアームの先端が突出しているケーブル引留具を固定する工程と、
方形状の板片を略Ｌ字状に屈曲させ、垂直部分にボルト挿通孔が設けられると共に、水平部分の先端部を上方に向けて屈曲させ、その先端部に溝部を形成し、この溝部にＬ字状のボルトとナットから成る治具を取り付けて、メッセンジャーワイヤーを掛け留めするための掛架部を設けているケーブル固定金具（丸ケーブル用引通し金具）を、ケーブル引留具に対向するように、バンドの外側から当てがい、
ケーブル固定金具（丸ケーブル用引通し金具）のボルト挿通孔に、バンドに取り付けられたボルトを挿入してナットをねじ込んで、ケーブル引留具にケーブル固定金具（丸ケーブル用引通し金具）を固定することにより、バンドをケーブル引留具とケーブル固定金具（丸ケーブル用引通し金具）とで挟み込んだ状態にする工程と、
ケーブル引留具に、強度が保てる許容固定条数のケーブルを引留固定する工程と、ケーブル固定金具（丸ケーブル用引通し金具）の掛架部に、前記ケーブル引留具における強度が保てない分の固定条数のケーブルをメッセンジャーワイヤーを利用して固定する工程を有することを特徴とした挟み込み式ケーブル引留工法。
【請求項２】
ケーブル固定金具（丸ケーブル用引通し金具）の掛架部へのケーブルの固定は、掛架部にメッセンジャーワイヤーを掛け留めする工程と、メッセンジャーワイヤーにスパイラルハンガーを介してケーブルを張設する工程とを含む請求項１に記載の挟み込み式ケーブル引留工法。
【請求項３】
電柱に添架するケーブルを固定する挟み込み式ケーブル引留装置であって、電柱に取り付けるバンド、または、既存に取り付けられているバンドの内側に差し込まれるケーブル引留具と、ケーブル引留具に対向するように、バンドの外側から当てがって固定されるケーブル固定金具（丸ケーブル用引通し金具）とを備え、ケーブル引留具は、帯片を略Ｌ字状に屈曲させ、垂直部分の左右両端部には、バンドの縦幅員に相当する上下間隔を有する上下一対の係止片が突設され、水平部分の先端に設けられた孔部に、ケーブルを引留固定するフックアームの先端が突出し、ケーブル固定金具（丸ケーブル用引通し金具）は、方形状の板片を略Ｌ字状に屈曲させ、垂直部分に設けられたボルト挿通孔に、バンドに取り付けられたボルトを挿入してナットをねじ込んで、ケーブル引留具に固定され、水平部分の先端部を上方に屈曲させた部分に形成された溝部に、ボルトとナットでメッセンジャーワイヤーを掛け留めすることを特徴とする挟み込み式ケーブル引留装置。
【請求項４】
ケーブル引留具は、垂直部分と水平部分の接合部の全体に係止片を延設し、この係止片は、下方に向けて楔状の突起を備えている請求項３に記載の通信ケーブルの挟み込み式引留装置。
【請求項５】
ケーブル固定金具（丸ケーブル用引通し金具）は、方形状の板片の長手方向の両端部を若干下向きに湾曲させ、板片の全体を略Ｌ字状に屈曲させている請求項３に記載の通信ケーブルの挟み込み式引留装置。
【請求項６】
ケーブル固定金具（丸ケーブル用引通し金具）は、水平部分の先端部を上方に向けて屈曲させ、その先端部に溝部を形成し、この溝部にＬ字状のボルトとナットから成る治具を取り付けて、メッセンジャーワイヤーを掛け留めするための掛架部を設けている請求項３または５に記載の通信ケーブルの挟み込み式引留装置。
【発明の詳細な説明】
【技術分野】
【０００１】
本発明は、既存共架柱に無数に存在する配電部門の既存のバンドである、例えば、引留用装柱バンドや配電バンド等を使用して、通信ケーブルである、例えば、ＦＴＴＨ用のドロップケーブルを引き留め固定するための挟み込み式ケーブル引留工法とその装置に関するものである。
【背景技術】
【０００２】
ＦＴＴＨの電気通信事業における供給サービスの迅速化が課題となっている。
【０００３】
通信ケーブルである、例えば、ＦＴＴＨ用の光ドロップケーブルＫを引き留め固定するためには、図１０（ａ）に示すように、電柱Ｐに装着される自在型の引留用装柱バンド１００と、Ｌ字片状のフック金具１０１を使用する。
【０００４】
すなわち、引留用装柱バンド１００は、左右一対の帯板それぞれの中間部分が互いに分離し、それぞれの長手方向に沿って等間隔に複数の孔が設けられている。そして、引留用装柱バンド１００を電柱Ｐに巻装させ、この帯板の分離した箇所同士を重ね合わせた状態で適当な長さとなるようにスライドさせてから、互いに合致した孔同士にボルトを挿入し、さらに、フック金具１０１のＬ字片一端側に形成された孔に挿入してから、反対側からナットで締め付けて固定する。
【０００５】
このとき、フック金具１０１のＬ字片他端側が、電柱Ｐに対して外方向に突出した状態となる。そして、このＬ字片他端側に設けられた略Ｕ字状のフックアーム１０２に、ＦＴＴＨ用のドロップケーブルＫを引き留め固定する。
【０００６】
上記したＦＴＴＨ用の光ドロップケーブルＫの具体的な構成は、約２ｍｍ〜３．３ｍｍ程度の太径の支持線と本体ケーブルとがシースによって被覆されており、この本体ケーブルは、複数の光ファイバ素線の上下両側を、テンションメンバでシースを介して支持された構造となっている。
【０００７】
また、保安通信線である丸ケーブルは、円柱状のスロットロッドを、例えば、難燃性を有するポリエチレンシースによって被覆された、直径約１４ｍｍ〜３０ｍｍ程度に形成された光ケーブルである。このスロットロッドの中心部にはテンションメンバが内装され、その周囲等間隔位置には、例えば、４心のテープ心線が付設された構造となっている。
【特許文献１】特になし
【発明の開示】
【発明が解決しようとする課題】
【０００８】
しかしながら、従来においては、構造や強度上の理由から、ＦＴＴＨ用の光ドロップケーブルＫの引留可能条数に制限があった。
【０００９】
例えば、引留可能条数が３条までであるとき、４条目以降はメッセンジャー側に布設する必要があることから、図１０（ｂ）に示すように、支持部１０４を介して突き出された起立状のフック金具１０５の上端から横向きに配した略Ｕ字状のフックアーム１０６を備えて成る持出装柱バンド１０３へ取り替えるか、あるいは、この持出装柱バンド１０３の増設を行っているのが実状である。
【００１０】
また、光ドロップケーブルＫのみの区間に丸ケーブルを布設する場合も、同様にして持出装柱バンド１０３への取り替えが必要となっている。
【００１１】
しかも、持出装柱バンド１０３自体は、電子通信部門にて採用している自在型のバンドを使用しているため、非常に割高となるという問題点を有していた。
【００１２】
そこで、本発明は如上のような従来存した諸事情に鑑み創出されたもので、光ドロップケーブルの増設対応の際に、既存の引留用装柱バンドを取り外さずに、もしくは、取り外した際でも簡単に丸ケーブル用のメッセンジャーワイヤーの取り付けが可能となり、しかも、引留用装柱バンドの替わりに既存の配電バンドをも利用することができる挟み込み式ケーブル式留工法とその装置を提供することを目的とする。
【課題を解決するための手段】
【００１３】
本発明は、電柱に添架するケーブルを固定する挟み込み式ケーブル引留工法であって、電柱に取り付けるバンド、または、既存に取り付けられているバンドの内側にケーブル引留具を差し込み、帯片を略Ｌ字状に屈曲させ、垂直部分の左右両端部に、バンドの縦幅員に相当する上下間隔をもって上側に２個の係止片、下側に２個の係止片をそれぞれ備えたケーブル引留具の上側に形成された左右の係止片をバンドの上端に係合するように配置し、下側に形成された左右の係止片をバンドの下端に係合させてバンドを締め付けることにより、水平部分の先端に設けられた孔部に、ケーブルを引留固定するフックアームの先端が突出しているケーブル引留具を固定する工程と、
方形状の板片を略Ｌ字状に屈曲させ、垂直部分にボルト挿通孔が設けられると共に、水平部分の先端部を上方に向けて屈曲させ、その先端部に溝部を形成し、この溝部にＬ字状のボルトとナットから成る治具を取り付けて、メッセンジャーワイヤーを掛け留めするための掛架部を設けているケーブル固定金具（丸ケーブル用引通し金具）を、ケーブル引留具に対向するように、バンドの外側から当てがい、
ケーブル固定金具（丸ケーブル用引通し金具）のボルト挿通孔に、バンドに取り付けられたボルトを挿入してナットをねじ込んで、ケーブル引留具にケーブル固定金具（丸ケーブル用引通し金具）を固定することにより、バンドをケーブル引留具とケーブル固定金具（丸ケーブル用引通し金具）とで挟み込んだ状態にする工程と、
ケーブル引留具に、強度が保てる許容固定条数のケーブルを引留固定する工程と、ケーブル固定金具（丸ケーブル用引通し金具）の掛架部に、前記ケーブル引留具における強度が保てない分の固定条数のケーブルをメッセンジャーワイヤーを利用して固定する工程を有することで、上述した課題を解決した。
【００１５】
さらに、ケーブル固定金具（丸ケーブル用引通し金具）の掛架部へのケーブルの固定は、掛架部にメッセンジャーワイヤーを掛け留めする工程と、メッセンジャーワイヤーにスパイラルハンガーを介してケーブルを張設する工程とを含むことで、同じく上述した課題を解決した。
【００１６】
一方、本発明は、電柱に添架するケーブルを固定する挟み込み式ケーブル引留装置であって、電柱に取り付けるバンド、または、既存に取り付けられているバンドの内側に差し込まれるケーブル引留具と、ケーブル引留具に対向するように、バンドの外側から当てがって固定されるケーブル固定金具（丸ケーブル用引通し金具）とを備え、ケーブル引留具は、帯片を略Ｌ字状に屈曲させ、垂直部分の左右両端部には、バンドの縦幅員に相当する上下間隔を有する上下一対の係止片が突設され、水平部分の先端に設けられた孔部に、ケーブルを引留固定するフックアームの先端が突出し、ケーブル固定金具（丸ケーブル用引通し金具）は、方形状の板片を略Ｌ字状に屈曲させ、垂直部分に設けられたボルト挿通孔に、バンドに取り付けられたボルトを挿入してナットをねじ込んで、ケーブル引留具に固定され、水平部分の先端部を上方に屈曲させた部分に形成された溝部に、ボルトとナットでメッセンジャーワイヤーを掛け留めすることで、同じく上述した課題を解決した。
【００１７】
また、ケーブル引留具は、垂直部分と水平部分の接合部の全体に係止片を延設し、この係止片は、下方に向けて楔状の突起を備えていることで、同じく上述した課題を解決した。
【００１８】
さらに、ケーブル固定金具（丸ケーブル用引通し金具）は、方形状の板片の長手方向の両端部を若干下向きに湾曲させ、板片の全体を略Ｌ字状に屈曲させていることで、同じく上述した課題を解決した。
【００１９】
また、ケーブル固定金具（丸ケーブル用引通し金具）は、水平部分の先端部を上方に向けて屈曲させ、その先端部に溝部を形成し、この溝部にＬ字状のボルトとナットから成る治具を取り付けて、メッセンジャーワイヤーを掛け留めするための掛架部を設けていることで、同じく上述した課題を解決した。
【００２０】
（削除）
【００２１】
（削除）
【００２２】
（削除）
【発明の効果】
【００２３】
本発明によれば、ケーブルの増設対応の際に、既存の引留用装柱バンドを取り外さずに、もしくは、取り外した際でも簡単に丸ケーブル用のメッセンジャーワイヤーの取り付けが可能となり、しかも、引留用装柱バンドの替わりに既存の配電バンドをも利用することができ、これによって、材料コストの削減、工期短縮の実現等を可能にした。
【発明を実施するための最良の形態】
【００２４】
以下に、本発明を実施するための最良の形態を、図面を参照して説明する。
【００２５】
本発明に係る挟み込み式ケーブル引留装置は、図１乃至図３に示すように、強度が保てる範囲の複数条の通信ケーブルである、例えば、光ドロップケーブルＫを引留固定するためのケーブル引留具２と、スパイラルハンガーＳを介して、強度が保てない分の光ドロップケーブルＫを張設するメッセンジャーワイヤーＭを掛け留めするためのケーブル固定金具（丸ケーブル用引通し金具）３を備えた装置本体１により概ね構成されている。
【００２６】
尚、説明を判り易くするため、ケーブル引留具２は、強度が保てる範囲として、３条の光ドロップケーブルＫを引留固定するものとする。また、ケーブル固定金具（丸ケーブル用引通し金具）３は、通信ケーブル４条目以降の光ドロップケーブルＫを張設するメッセンジャーワイヤーＭを掛け留めするものとする。勿論、当該条数は一例であって、本発明はこの条数に限定されるものではない。
【００２７】
そして、この装置本体１は、電柱Ｐに締結固定されている既存の引留用装柱バンド・配電バンド４を取り外すことなく、引留用装柱バンド・配電バンド４を挟み込むようにして取り付けられる。
【００２８】
この引留用装柱バンド・配電バンド４は、図１乃至図３に示すように、略半円弧状を成す前後一対の帯板４ａ，４ｂを互いに対向させた状態とし、電柱Ｐを帯板４ａ，４ｂにより挟み込んでから、その端部同士をボルト７とナット８により締め付けて固定するようにしている。
【００２９】
また、両帯板４ａ，４ｂの中央には、内側から外方へ向けて窪ませた、略矩形状の凹部５が形成されている。そして、この凹部５の中央に穿設された取付孔６に内側からボルト７が挿入され、ボルト頭部が凹部５内に配置された状態で、ボルトの先端だけが両帯板４ａ，４ｂの外側に突出するようにしている。
【００３０】
尚、装置本体１が取り付けられる前側の帯板４ａに対向する後側の帯板４ｂの略中央には、足場ステップ用バンド９が取り付けられる。
【００３１】
電柱Ｐへの引留用装柱バンド・配電バンド４の取り付けに際し、両帯板４ａ，４ｂは、ボルト７とナット８を外して互いに開放させた状態にしておき、電柱Ｐを抱き込むように互いに閉塞してから、帯板４ａ，４ｂの両端部分同士を、再度、ボルト７とナット８で締め付けることで、引留用装柱バンド・配電バンド４が電柱Ｐにしっかりと固定されるのである。
【００３２】
ケーブル引留具２は、電柱Ｐに取り付けた引留用装柱バンド・配電バンド４において、電柱Ｐと引留用装柱バンド・配電バンド４の間に挟み込んで固定するものである。
【００３３】
ケーブル引留具２は、図６・図７に示すように、帯片を略横Ｌ字状に屈曲させ、垂直部分の左右両端部には、４個の係止片１０が突設されている。この係止片１０は、上方に２個、下方に２個存在し、引留用装柱バンド・配電バンド４の縦幅員に相当する、上下間隔を備えている。
【００３４】
そして、ケーブル引留具２の水平部分の先端には、孔部１１が設けられている。この孔部１１には、光ドロップケーブルＫを引留固定するためのフックアーム１２を配置している。フックアーム１２の基端部は、水平部分の下面略中央に固定され、略Ｕ字状に形成されたフックアーム１２の先端が、この孔部１１に下方から突出するように配置されているのである。
【００３５】
図８・図９には、ケーブル引留具２の他の実施例が示されている。このケーブル引留具２は、帯片を略横Ｌ字状に屈曲させ、垂直部分と水平部分の接合部の全体に係止片１０を延設している。この係止片１０は、中央部に円弧凹部１３を設けている。また、円弧凹部１３に隣接して、下方に向けて楔状の突起１４を突設させることで、引留用装柱バンド・配電バンド４に対する係合を強固なものとしている。
【００３６】
このケーブル引留具２を、引留用装柱バンド・配電バンド４の内側に上方から差し込む際には、先ず、上側の係止片１０の突起１４を、引留用装柱バンド・配電バンド４の上端に係合するように配置し、その後、下側における左右の係止片１０のそれぞれを、引留用装柱バンド・配電バンド４の下端に係合させる。
【００３７】
ケーブル固定金具（丸ケーブル要ひと押し金具）３は、電柱ｐに取り付けた印流用装柱バンド・配電バンド４において、引留用装柱バンド・配電バンド４に配置したボルト７を介して固定するものである。
【００３８】
ケーブル固定金具（丸ケーブル用引通し金具）３は、図４・図５に示すように、方形状の板片の長手方向の両端部を若干下向きに湾曲させ、板片の全体を略Ｌ字状に屈曲させている。また、ケーブル固定金具（丸ケーブル用引通し金具）３の垂直部分には、ボルト挿通孔１５が設けられている。このボルト挿通孔１５は、引留用装柱バンド・配電バンド４の凹部５内に配置されたボルト７の先端部を挿通させるものである。
【００３９】
また、ケーブル固定金具（丸ケーブル用引通し金具）３の水平部分の先端部を、上方に向けて屈曲させている。この屈曲した先端部には、中央部分に長目の溝部１６を形成している。この溝部１６に、Ｌ字状のボルト１７とナット１８から成る治具を取り付けることで、スパイラルハンガーＳを介して通信ケーブル４条目以降の光ドロップケーブルＫを張設するメッセンジャーワイヤーＭを掛け留めするための掛架部１９が形成されている。
【００４０】
この掛架部１９において、Ｌ字状のボルト１７とナット１８から成る治具は、取り付け・取り外しが自在となっている。例えば、Ｌ字状のボルト１７に配置したワッシャとナット１８により、ケーブル固定金具（丸ケーブル用引通し金具）３の溝部１６を挟み込み、この状態でナット１８を締め付けることで、治具を簡単に取り付けることができる。
【００４１】
次に、以上のように構成された本発明について、使用・組立の一例を説明する。
【００４２】
尚、引留用装柱バンド・配電バンド４は、ボルト７が当該バンド４の取付孔６に予め挿入された状態で、電柱Ｐに取り付けられていることを前提とする。
【００４３】
先ず、図１に示すように、引留用装柱バンド・配電バンド４が電柱Ｐに取り付けられた状態で、ボルト７とナット８を若干緩めて、引留用装柱バンド・配電バンド４と電柱Ｐとの間に隙間を生じさせる。そして、この隙間に、ケーブル引留具２を上方から差し込み、上側における左右の係止片１０を引留用装柱バンド・配電バンド４の上端に係合させ、また、下側における左右の係止片１０を引留用装柱バンド・配電バンド４の下端に係合させる。
【００４４】
このとき、引留用装柱バンド・配電バンド４の凹部５内にボルト７を配置し、ボルト７の先端部を突出させた状態にしておく。この状態で、引留用装柱バンド・配電バンド４を電柱Ｐにしっかりと固定する。
【００４５】
次いで、図２に示すように、ケーブル引留具２の４個の係止片１０の内側に合致するよう、引留用装柱バンド・配電バンド４の外側からケーブル固定金具（丸ケーブル用引通し金具）３を当てがう。
【００４６】
このとき、ケーブル固定金具（丸ケーブル用引通し金具）３のボルト挿通孔１５に前記ボルト７を挿入し、反対側からナット８をねじ込んで、ケーブル固定金具（丸ケーブル用引通し金具）３を固定する。すなわち、ケーブル引留具２とケーブル固定金具（丸ケーブル用引通し金具）３により、引留用装柱バンド・配電バンド４を挟み込んだ状態とし、全体が固定されるのである。
【００４７】
そして、図３に示すように、ケーブル引留具２のフックアーム１２に通信ケーブル３条の光ドロップケーブルＫを引留固定する。また、ケーブル固定金具（丸ケーブル用引通し金具）３の掛架部１９にメッセンジャーワイヤーＭを掛け留めする。さらに、メッセンジャーワイヤーＭに、スパイラルハンガーＳを介して通信ケーブル４条目以降の光ドロップケーブルＫを張設する。
【産業上の利用可能性】
【００４８】
本発明に係る挟み込み式ケーブル引留工法とその装置は、既存共架柱に無数に存在する配電部門の既存のバンドを使用して、通信ケーブルを固定するための種々の配電工法として、幅広く活用できるものである。
【図面の簡単な説明】
【００４９】
【図１】本発明に係る挟み込み式ケーブル引留装置において、引留用装柱バンド・配電バンドと電柱との間に、ケーブル引留具を差し込んで固定した状態を示す斜視図である。
【図２】引留用装柱バンド・配電バンドと電柱との間に固定したケーブル引留具に、ケーブル固定金具（丸ケーブル用引通し金具）を取り付ける状態を示す斜視図である。
【図３】ケーブル固定金具（丸ケーブル用引通し金具）の掛架部に、メッセンジャーワイヤーを掛け留めし、メッセンジャーワイヤーにスパイラルハンガーを介して通信ケーブル４条目以降の光ドロップケーブルを張設した状態の斜視図である。
【図４】ケーブル引留具にケーブル固定金具（丸ケーブル用引通し金具）を合致させた状態を示す斜視図である。
【図５】ケーブル引留具にケーブル固定金具（丸ケーブル用引通し金具）を合致させた状態を示すもので、（ａ）は平面図、（ｂ）は側面図、（ｃ）は正面図である。
【図６】ケーブル引留具の斜視図である。
【図７】ケーブル引留具を示し、（ａ）は平面図、（ｂ）は側面図、（ｃ）は正面図である。
【図８】ケーブル引留具の他の実施例を示す斜視図である。
【図９】ケーブル引留具の他の実施例を示し、（ａ）は平面図、（ｂ）は側面図、（ｃ）は正面図である。
【図１０】従来技術を説明したもので、（ａ）は電柱に装着される自在型の引留用装柱バンドとＬ字片状のフック金具を使用している場合の斜視図、（ｂ）は持出装柱バンドへ取り替えるか、あるいは、この持出装柱バンドの増設を行った場合の斜視図である。
【符号の説明】
【００５０】
Ｐ…電柱
Ｋ…光ドロップケーブル
Ｍ…メッセンジャーワイヤー
Ｓ…スパイラルハンガー
１…装置本体
２…ケーブル引留具
３…ケーブル固定金具（丸ケーブル用引通し金具）
４…引留用装柱バンド・配電バンド
５…凹部
６…取付孔
７…ボルト
８…ナット
９…足場ステップ用バンド
１０…係止片
１１…孔部
１２…フックアーム
１３…円弧凹部
１４…突起
１５…ボルト挿通孔
１６…溝部
１７…ボルト
１８…ナット
１９…掛架部
【図１】
0004743774.tif 000002
【図２】
0004743774.tif 000003
【図３】
0004743774.tif 000004
【図４】
0004743774.tif 000005
【図５】
0004743774.tif 000006
【図６】
0004743774.tif 000007
【図７】
0004743774.tif 000008
【図８】
0004743774.tif 000009
【図９】
0004743774.tif 000010
【図１０】
0004743774.tif 000011